(57)【特許請求の範囲】
【請求項１】
複数の手技を含む手術動画を記録する記録手段と、
前記手術動画の映像中の前記複数の手技のそれぞれに対応して、前記手術動画を分割する分割手段と、
前記分割手段により分割された手技動画から、前記手技動画中の手技の処置時間を抽出する抽出手段と、
前記手技動画と前記処置時間とを関連付けて記録する手技動画記録手段と、
ユーザが指定した指定手技についての、前記ユーザの処置時間に基づいて、前記手技動画記録手段から、前記指定手技に対応する手技動画を検索する検索手段と、
を備えることを特徴とする情報処理装置。
【請求項２】
前記検索手段により検索された手技動画をユーザ端末に送信する送信手段をさらに備えることを特徴とする請求項１に記載の情報処理装置。
【請求項３】
前記検索手段は、前記ユーザの処置時間よりも所定割合短い処置時間の手技動画を検索することを特徴とする請求項１または２に記載の情報処理装置。
【請求項４】
前記検索手段は、前記ユーザの処置時間に対して所定範囲内の処置時間の手技動画を検索することを特徴とする請求項１または２に記載の情報処理装置。
【請求項５】
前記手技動画に含まれる手技の処置時間を所定の処置時間と比較可能にグラフ化して表示するグラフ表示手段をさらに備えることを特徴とする請求項１乃至４のいずれか１項に記載の情報処理装置。
【請求項６】
前記検索手段は、ユーザ識別情報に基づいて、前記手技動画を検索することを特徴とする請求項１乃至５のいずれか１項に記載の情報処理装置。
【請求項７】
前記ユーザの手技動画と、前記検索手段で検索された手技動画とを比較可能に表示する比較表示手段をさらに備えることを特徴とする請求項１乃至６のいずれか１項に記載の情報処理装置。
【請求項８】
記録手段に記録された手術動画の映像中の複数の手技のそれぞれに対応して、前記手術動画を分割する分割ステップと、
前記分割ステップにおいて分割された手技動画から、前記手技動画中の手技の処置時間を抽出する抽出ステップと、
前記手技動画と前記処置時間とを関連付けて記録する手技動画記録ステップと、
ユーザが指定した指定手技についての、前記ユーザの処置時間に基づいて、前記手技動画記録ステップで記録した前記手技動画から、前記指定手技に対応する手技動画を検索する検索ステップと、
を含むことを特徴とする情報処理方法。
【請求項９】
記録手段に記録された手術動画の映像中の複数の手技のそれぞれに対応して、前記手術動画を分割する分割ステップと、
前記分割ステップにおいて分割された手技動画から、前記手技動画中の手技の処置時間を抽出する抽出ステップと、
前記手技動画と前記処置時間とを関連付けて記録する手技動画記録ステップと、
ユーザが指定した指定手技についての、前記ユーザの処置時間に基づいて、前記手技動画記録ステップで記録した前記手技動画から、前記指定手技に対応する手技動画を検索する検索ステップと、
をコンピュータに実行させることを特徴とする情報処理プログラム。
【発明の詳細な説明】
【技術分野】
【０００１】
本発明は、情報処理装置、情報処理方法および情報処理プログラムに関する。
【背景技術】
【０００２】
上記技術分野において、特許文献１には、各手技ステップの最適な手技ステップ画像データを手術画像から分割して登録し、データベースに登録されている手技ステップ画像データを組み合わせて手術用シミュレーション画像を構築する技術が開示されている。
【先行技術文献】
【特許文献】
【０００３】
【特許文献１】特開２００５−１２４８２４号公報
【発明の概要】
【発明が解決しようとする課題】
【０００４】
しかしながら、上記文献に記載の技術では、ユーザが見るべき動画を見せることができなかった。
【０００５】
本発明の目的は、上述の課題を解決する技術を提供することにある。
【課題を解決するための手段】
【０００６】
上記目的を達成するため、本発明に係る情報処理装置は、
複数の手技を含む手術動画を記録する記録手段と、
前記手術動画の映像中の前記複数の手技のそれぞれに対応して、前記手術動画を分割する分割手段と、
前記分割手段により分割された手技動画から、前記手技動画中の手技の処置時間を抽出する抽出手段と、
前記手技動画と前記処置時間とを関連付けて記録する手技動画記録手段と、
ユーザが指定した指定手技についての、前記ユーザの処置時間に基づいて、前記手技動画記録手段から、前記指定手技に対応する手技動画を検索する検索手段と、
を備えることを特徴とする。
【０００７】
上記目的を達成するため、本発明に係る情報処理方法は、
記録手段に記録された手術動画の映像中の複数の手技のそれぞれに対応して、前記手術動画を分割する分割ステップと、
前記分割ステップにおいて分割された手技動画から、前記手技動画中の手技の処置時間を抽出する抽出ステップと、
前記手技動画と前記処置時間とを関連付けて記録する手技動画記録ステップと、
ユーザが指定した指定手技についての、前記ユーザの処置時間に基づいて、前記手技動画記録ステップで記録した前記手技動画から、前記指定手技に対応する手技動画を検索する検索ステップと、
を含むことを特徴とする。
【０００８】
上記目的を達成するため、本発明に係る情報処理プログラムは、
記録手段に記録された手術動画の映像中の複数の手技のそれぞれに対応して、前記手術動画を分割する分割ステップと、
前記分割ステップにおいて分割された手技動画から、前記手技動画中の手技の処置時間を抽出する抽出ステップと、
前記手技動画と前記処置時間とを関連付けて記録する手技動画記録ステップと、
ユーザが指定した指定手技についての、前記ユーザの処置時間に基づいて、前記手技動画記録ステップで記録した前記手技動画から、前記指定手技に対応する手技動画を検索する検索ステップと、
をコンピュータに実行させることを特徴とする。
【発明の効果】
【０００９】
本発明によれば、ユーザが見るべき動画を見せることができる。
【図面の簡単な説明】
【００１０】
【図１】本発明の第１実施形態に係る情報処理装置の構成を示すブロック図である。
【図２Ａ】本発明の第２実施形態に係る情報処理装置により検索された動画の表示画面の一例を説明する図である。
【図２Ｂ】本発明の第２実施形態に係る情報処理装置により検索された動画の表示画面の他の例を説明する図である。
【図２Ｃ】本発明の第２実施形態に係る情報処理装置により検索された動画の表示画面の他の例を説明する図である。
【図２Ｄ】本発明の第２実施形態に係る情報処理装置により表示されたグラフ表示部の表示例を説明する図である。
【図３】本発明の第２実施形態に係る情報処理装置の構成を示すブロック図である。
【図４Ａ】本発明の第２実施形態に係る情報処理装置が備える術式情報テーブルの一例を示す図である。
【図４Ｂ】本発明の第２実施形態に係る情報処理装置が備える器具リストテーブルの一例を示す図である。
【図４Ｃ】本発明の第２実施形態に係る情報処理装置が備える手術動画／手技動画データベースの一例を示す図である。
【図５】本発明の第２実施形態に係る情報処理装置のハードウェア構成を説明するブロック図である。
【図６】本発明の第２実施形態に係る情報処理装置の処理手順を示すフローチャートである。
【発明を実施するための形態】
【００１１】
以下に、本発明を実施するための形態について、図面を参照して、例示的に詳しく説明記載する。ただし、以下の実施の形態に記載されている、構成、数値、処理の流れ、機能要素などは一例に過ぎず、その変形や変更は自由であって、本発明の技術範囲を以下の記載に限定する趣旨のものではない。
【００１２】
［第１実施形態］
本発明の第１実施形態としての情報処理装置１００について、図１を用いて説明する。情報処理装置１００は、分割された手術動画の映像中の手技の処置時間に基づいて、手技動画を検索する装置である。
【００１３】
図１に示すように、情報処理装置１００は、記録部１０１と、分割部１０２と、抽出部１０３と、手技動画記録部１０４と、検索部１０５とを含む。記録部１０１は、複数の手技を含む手術動画を記録する。分割部１０２は、手術動画の映像中の複数の手技のそれぞれに対応して、手術動画を分割する。
【００１４】
抽出部１０３は、分割部１０２により分割された手技動画から、手技動画中の手技の処置時間を抽出する。手技動画記録部１０４は、手技動画と処置時間とを関連付けて記録する。検索部１０５は、ユーザが指定した指定手技についての、ユーザの処置時間に基づいて、手技動画記録部１０４から、指定手技に対応する手技動画を検索する。
【００１５】
本実施形態によれば、手術動画を手技に基づいて、自動的に分割することができ、さらに、ユーザに対して、ユーザが見るべき手技を含む動画を見せることができる。
【００１６】
［第２実施形態］
次に本発明の第２実施形態に係る情報処理装置について、図２Ａ乃至図６を用いて説明する。図２Ａ乃至図２Ｃは、本実施形態に係る情報処理装置２００からユーザ端末２１０の表示画面２１１に表示される分割された手術動画の一例を説明するための図である。
【００１７】
図２Ａに示したように、表示画面２１１の手技動画表示部には、情報処理装置２００からネットワーク２４０を介して送信された手技動画が表示されている。手技動画は、１つの手術動画から、手技ごとに切り分けられた動画であり、手術動画の一部をなすものである。そして、情報処理装置２００には、このような手技動画が、各手技について、複数個記録されている。
【００１８】
手技動画表示部２１２の下部には、再生ボタンや停止ボタン、音量調整バー、スライダーバーなどの動画を操作するための操作ボタン２１３が表示されている。手技動画表示部２１２の右側のグラフ表示領域２１４には、手技動画に含まれる手技の処置時間がグラフ化されて表示され、グラフ表示領域２１４の下部の手技名表示部２１５には、手技名が表示されている。そして、例えば、ユーザが、手技名表示部２１５に表示されている手技名をクリックやタップなどして選択すると、その選択した手技を映像中に含む手技動画が表示される。また、ユーザは、グラフにより、その手技の処置時間を視覚的に認識することもできる。
【００１９】
関連情報表示部２１６には、表示している手技動画と関連する書籍などの情報が表示されるが、ここに表示される情報は書籍の情報には限定されない。例えば、手技動画表示部２１２に表示されている手技動画の執刀医の情報や、執刀日時の情報、患者の情報、疾病情報などの様々な情報を表示してもよい。関連薬剤・器具表示部２１７には、例えば、手技動画表示部２１２に映っている手術器具の情報や、投与した薬剤の情報などが表示される。
【００２０】
図２Ｂに示したように、手技動画表示部２１２の右側の関連動画表示部２１９には、タグ表示部２１８に表示された、手技動画の術式名などに関連する関連動画２２０がリスト形式で表示される。例えば、ユーザがタグ表示部２１８をクリックやタップなどして選択すると、関連動画表示部２１９に関連動画２２０がリスト形式で表示される。リスト形式で表示される関連動画２２０の並び順は、例えば、ユーザが指定した手技の処置時間よりも短い処置時間を映像中に含む手技動画を昇順または降順などで並べて表示してもよいが、これには限定されない。
【００２１】
図２Ｃに示したように、例えば、ユーザが、関連動画表示部２１９にリスト形式で表示されている関連動画２２０をクリックやタップなどして選択すると、表示が選択した関連動画２２０に切り替わり、その関連動画２２０が再生される。つまり、手技動画表示部２１２で再生されている動画と関連動画２２０とが比較可能に表示され、再生される。これにより、ユーザは、自分の手技を映した手技動画と、他者の手技動画とを比較しながら視聴することができる。また、関連動画２２０としてリスト表示する手技動画として、ユーザの手技の処置時間よりも短い処置時間の手技動画を表示すれば、ユーザは、自分の手技よりも優れた手技を映像中に含む手技動画を視聴することができる。したがって、ユーザは、自分の手技の欠点や改善点に気付き易くなり、優れた手技を学ぼうとする動機付けにもなり、学習効果も向上する。
【００２２】
図２Ｄに示したように、ユーザが視聴している手技動画の映像中に含まれる手技の処置時間と所定の処置時間とを比較可能にグラフ化して表示してもよい。例えば、ユーザの処置時間を表すハッチングされた棒グラフの隣に、例えば、その手技の平均処置時間を表す白抜きの棒グラフを並べて表示すれば、ユーザは、自らの手技の処置時間が平均を上回っているのか否かを知ることができる。図２Ｄに示した例では、例えば、術前準備や術後処置は平均と比べてもそん色はないが、剥離については、平均処置時間よりも相当時間がかかっていることが分かる。さらに、このような場合に、ユーザが、剥離の部分の手技動画を視聴すれば、例えば、自身の手技レベルが低いためなのか、あるいは、癒着がひどく剥離に時間を要したのかなども知ることができる。これとは反対に、切開や摘除については、平均よりも処置時間が短いことが分かる。この場合も、ユーザが、当該部分の手技動画を視聴すれば、自身の手技のよい所をさらに伸ばすことができる。
【００２３】
なお、ここでは、ハッチングされた棒グラフとしてユーザの手技の処置時間を表示した例で説明をしたが、ユーザが現在視聴している他人の手技の処置時間を表示してもよい。そして、その他人の処置時間と平均処置時間とを比較してもよく、これにより、手技動画を視聴しているユーザは、視聴している手技の巧拙を判断することができる。
【００２４】
また、所定の処置時間としては、例えば、他人の処置時間やユーザが指定した人物の処置時間、その手技の最短または最長の処置時間などがあげられるが、これらには限定されない。また、図２Ｄでは、グラフの縦軸を時間表示（分）としているが、この他に例えば、偏差値などで表示してもよい。偏差値で表示すれば、ユーザは、自らの手技がどの程度優れているのか、または、劣っているのかを視覚的に認識することができる。
【００２５】
図３は、本実施形態に係る情報処理装置２００の構成を説明するブロック図である。情報処理装置２００は、記録部３０１と、分割部３０２と、抽出部３０３と、手技動画記録部３０４と、検索部３０５と、送信部３０６と、グラフ表示部３０７と、比較表示部３０８とを備える。また、情報処理装置２００は、ネットワーク２４０を介してユーザ端末２１０と接続されている。
【００２６】
記録部３０１は、携帯型パソコン２１０ａやスマートフォン２１０ｂ、据え置き型パソコン２１０ｃなどのユーザ端末２１０から送信された複数の手技を含む手術動画を受信し、記録する。分割部３０２は、記録部３０１に記録された手術動画を読み出して、手術動画の映像中に含まれる手技のそれぞれに対応して、手術動画を分割して、手技動画を生成する。つまり、１つの手術動画を、手技をキーとして複数の動画に切り分けて、手技動画を複数生成する。なお、手術動画の分割、すなわち、手術動画の切り分けは、分割部３０２が自動的に行うものとするが、これには限定されず、ユーザ自身が手術動画を切り分けて、情報処理装置２００にアップロードしてもよい。また、手術動画の分割は、分割部３０２が、映像中の手の動きなどの動作解析等により自動的に手技を割り出して、手術動画を切り分けてもよい。また、手術動画に登場する手術器具に基づいて、手術動画を切り分けてもよい。つまり、ある手技について、使用する手術器具は決まっている場合が多く、この手技と手術器具との対応関係に基づいて、手術動画を切り分けて、分割してもよい。この場合、分割部３０２は、手術動画の映像に登場する手術器具を、その形状などの情報に基づいて、判定してもよい。
【００２７】
抽出部３０３は、手技動画の映像中の手技の処置時間を抽出する。処置時間の抽出は、手技動画の再生時間を処置時間としてもよいし、動作解析により処置時間を抽出してもよい。また、手技動画に含まれる手技に用いられる手術器具の登場時間を処置時間としてもよい。さらに、動作解析や手術器具の登場時間などにより処置時間を抽出した場合の処置時間は、手技動画の再生時間よりも短くなる。
【００２８】
手技動画記録部３０４は、分割部３０２により手術動画から切り分けられ、分割された手技動画と、抽出部３０３により抽出された処置時間とを関連付けて記録する。手技動画記録部３０４が、手技動画に関連付ける情報は処置時間には限定されず、例えば、術式名や手技名、執刀医、手術が行われた病院、手術が行われた日時などの情報を関連付けてもよい。その他にも、例えば、患者の個人情報や患者のバイタル情報、既往歴、執刀医以外の手術スタッフの情報など様々な情報を関連付けてもよい。
【００２９】
検索部３０５は、ユーザが見たいと思う手技、つまり、ユーザが指定した指定手技について、その指定手技についてのそのユーザの処置時間に基づいて、指定手技を映像中に含む手技動画を手技動画記録部３０４から検索する。検索部３０５は、例えば、そのユーザの手技の処置時間よりも所定割合短い処置時間の手技動画や、所定の時間だけ短い処置時間の手技動画を検索する。これにより、ユーザは、自分の手技よりも優れている手技の動画を見ることができ、自らの手技の欠点や改善点を認識することができる。
【００３０】
また、検索部３０５は、ユーザの処置時間に対して所定範囲内の処置時間、すなわち、ユーザの処置時間よりも所定の時間や所定の割合長い処置時間の手技を映像中に含む手技動画を検索してもよい。これにより、ユーザは、自分の手技のレベルと同等のレベルの手技の動画を見ることができ、自らの手技の優れている点、劣っている点を認識することができる。
【００３１】
さらに、検索部３０５は、ユーザ以外の人物の手技動画を検索してもよく、例えば、ユーザが入力したユーザ以外の人物のユーザ識別情報に基づいて手技動画を検索してもよい。これにより、ユーザは、例えば、自らの手技動画の他に、他人の手技動画を検索して視聴することも可能となる。
【００３２】
送信部３０６は、ネットワーク２４０を介して携帯型パソコン２１０ａや、スマートフォン２１０ｂ、据え置き型パソコン２１０ｃなどのユーザ端末２１０に手技動画を送信する。なお、手技動画を送信するユーザ端末２１０は、手術動画を情報処理装置２００にアップロードしたユーザ端末２１０には限定されず、手技動画の送信要求があったユーザ端末２１０に送信することもできる。
【００３３】
グラフ表示部３０７は、抽出部３０３で抽出した、手技動画に含まれる手技の処置時間を所定の処置時間と比較可能にグラフ化して表示する。例えば、図２Ｄに示したように、処置時間を棒グラフなどで並べて表示すれば、ユーザは、処置時間の数字を読む必要がなく、直感的に処置時間の長短を把握することができる。さらに、手技動画に含まれる手技の処置時間と所定の処置時間、例えば、平均的な処置時間とを並べて表示すれば、ユーザは自らの技量を容易に把握することができる。
【００３４】
比較表示部３０８は、ユーザの手技動画と、検索部３０５で検索された手技動画とを比較可能に表示する。比較表示部３０８は、例えば、ユーザの手技動画と検索された手技動画とを左右に並べて表示したり、上下に並べて表示したりしてもよい。このように、手技動画同士を並べて表示することにより、ユーザは、２つの動画を見比べながら、自身の手技の欠点や改善点、検索された手技動画に含まれる手技の優れている点などを容易に把握することができる。なお、比較表示部３０８は、グラフ表示部３０７で生成したグラフを比較可能に表示された手技動画に重畳して表示してもよい。
【００３５】
図４Ａは、本実施形態に係る情報処理装置２００が備える術式情報テーブルの一例を示す図である。術式情報テーブル４０１は、診療科４１１と術式名４１２とに関連付けて、手技名称４１３と手術器具４１４とを記憶する。手術器具４１４は、ある術式のある手技で使用する使用器具に該当する。
【００３６】
例えば、ユーザが手術動画を情報処理装置２００へアップロードする際に、その手術動画に診療科４１１や術式名４１２などの情報を付加してアップロードする。そうすると、分割部３０２は、術式情報テーブル４０１を用いれば、診療科４１１や術式名４１２などの情報から、手技名称４１３と手術器具４１４との対応関係が分かる。つまり、分割部３０２は、映像中に特定の手術器具４１４が登場したら、その手術器具４１４に対応する手技が行われていると判断できる。したがって、分割部３０２は、例えば、術式情報テーブル４０１を用いて、ユーザがアップロードした複数の手技を含む手術動画を自動的に手技ごとに分割して、動画を切り分けることができる。
【００３７】
なお、手術動画の自動分割の方法は、ここに示した例には限定されず、例えば、映像中の執刀医の手の動きを、動作解析などにより解析して、解析結果に基づいてどの手技が行われているかを判断して、手術動画を分割してもよい。
【００３８】
図４Ｂは、本実施形態に係る情報処理装置２００が備える器具リストテーブルの一例を示す図である。器具リストテーブル４０２は、手術器具名４２１に関連付けて、用途４２２と適用術式４２３と標準処置時間４２４と形状情報４２５とを記憶する。形状情報４２５は、手術器具の形状に関する情報であり、情報処理装置２００の分割部３０２は、この形状情報４２５に基づいて、手術動画に登場する手術器具の種類などを判定して、手技ごとに手術動画を分割することができる。
【００３９】
情報処理装置２００は、例えば、器具リストテーブル４０２を用いて、手技動画の映像中に登場する使用器具（手術器具）と手技との対応関係から、その手技の標準処置時間４２４を把握することができる。そして、情報処理装置２００は、その標準処置時間４２４と、抽出部３０３が抽出した処置時間とを比較することにより、例えば、ユーザの手技の巧拙を処置時間に基づいて評価することも可能である。
【００４０】
すなわち、従来、医師の手術の巧拙や、手技の巧拙の評価は、手術件数や取扱い症例数などの回数をベースに行われていたので、例えば、大病院の医師であれば、患者の数も多いので自然と症例数も増え、評価も高くなる。しかしながら、手術件数をこなしたとしても必ずしも手術の技量が向上するとは限らず、手術の下手な医師は下手なままであり、単に回数を基準に医師の技量を評価したのでは必ずしも正しい評価とはならない。そこで、器具リストテーブル４０２に記憶されている標準処置時間４２４などを適宜用いることにより、処置時間が標準処置時間４２４よりも長いか短いかという基準で、医師の技量を判定することができ、より正確な評価をすることができる。
【００４１】
図４Ｃは、本実施形態に係る情報処理装置２００の備える手術動画／手技動画データベースの一例を示す図である。手術動画／手技動画データベース４０３は、手技動画ＩＤ（Identifier）４３１に関連付けて、処置時間４３２と、日時４３３と、執刀者ＩＤ４３４と、撮影アングル４３５と、使用器具４３６と、原動画ＩＤ４３７とを記憶する。
【００４２】
撮影アングル４３５は、手術動画（手技動画）を撮影したカメラの撮影角度であり、通常は、手術室の無影灯に設けられたカメラや、手術室全体を撮影するために手術室の天井などに設置されたカメラの撮影角度を示す。また、例えば、執刀医が眼鏡型のウェアラブル端末を装着して手術動画を撮影した場合の撮影アングル４３５は、ウェアラブル端末が備えるカメラの撮影角度を示す。
【００４３】
情報処理装置２００は、手術動画／手技動画データベース４０３に記憶された各種の情報を取得することにより、ユーザの要求に応じて、手技動画に関連する情報を提供することができる。また、原動画ＩＤ４３７を記憶することで、手技動画と手術動画との対応付けもできる。
【００４４】
図５は、本実施形態に係る情報処理装置２００のハードウェア構成の一例を示すブロック図である。情報処理装置２００は、ＣＰＵ(Central Processing Unit)５０１、ＲＯＭ(Read Only Memory)５０２およびＲＡＭ(Random Access Memory)５０３を備えている。さらに、情報処理装置２００は、ストレージ５０４と通信制御部５０５とを備えている。
【００４５】
ＣＰＵ５０１は、演算処理用のプロセッサであり、プログラムを実行することにより情報処理装置２００の各機能構成部を実現する。なお、ＣＰＵ５０１は１つに限定されず、複数であってもよく、また、画像処理用のＧＰＵ(Graphics Processing Unit)を含んでもよい。ＲＯＭ５０２は、リードオンリメモリであり、初期データやファームウェアなどのプログラムを記憶する。通信制御部５０５は、例えば、情報処理装置２００とその他の機器などとの間の通信を制御する。また、通信制御部５０５は、ＣＰＵ５０１とは独立したＣＰＵを有して、ＲＡＭ５０３の領域に送受信データを書き込みまたは読み出しをするのが望ましい。さらに、ＲＡＭ５０３とストレージ５０４との間でデータを転送するＤＭＡＣ（Direct Memory Access Controller）を設けるのが望ましい（図示なし）。よって、ＣＰＵ５０１は、ＲＡＭ５０３がデータを受信したこと、またはＲＡＭ５０３にデータが転送されたこと、を認識してデータを処理する。また、ＣＰＵ５０１は、処理結果をＲＡＭ５０３に準備しておき、後に行われる送信または転送については、通信制御部５０５やＤＭＡＣに行わせる。
【００４６】
ＲＡＭ５０３は、ＣＰＵ５０１が一時記憶用のワークエリアとして使用するランダムアクセスメモリである。ＲＡＭ５０３には、本実施形態の実現に必要なデータを記憶する領域がある。このようなデータとして、ＲＡＭ５０３は、ユーザがアップロードした手術動画５３１、手技動画５３２、手技名５３３、処置時間５３４、執刀日５３５および執刀医５３６を一時的に記憶する。
【００４７】
ＲＡＭ５０３は、ユーザが情報処理装置２００にアップロードした手術動画５３１をストレージ５０４に記憶されている手術動画／手技動画データベース４０３などから読み出して、展開する。また、ＲＡＭ５０３は、分割部３０２が手術動画から切り分けた手技動画５３２を一時的に記憶する。そして、抽出部３０３は、一時的に記憶された手技動画５３２から処置時間５３４を抽出する。
【００４８】
ＲＡＭ５０３は、術式情報テーブル４０１や器具リストテーブル４０２などから、手技名５３３、執刀日５３５および執刀医５３６などの情報を展開する。そして、これらの情報と手技動画５３２とが紐付けられてストレージ５０４に記憶される。送受信データ５３７は、通信制御部５０５を介して送受信されるデータである。
【００４９】
ストレージ５０４は、データベースや各種パラメータ、本実施形態の実現に必要な以下のプログラムやデータなどを記憶する記憶デバイスである。ストレージ５０４は、術式情報テーブル４０１と、器具リストテーブル４０２と、手術動画／手技動画データベース４０３とを格納する。
【００５０】
ストレージ５０４は、さらに、分割モジュール５４１と、抽出モジュール５４２と、検索モジュール５４３とを格納する。分割モジュール５４１は、ユーザがアップロードした手術動画を切り分けて、手技動画に分割するモジュールである。抽出モジュール５４２は、手技動画の映像中に含まれる手技の処置時間を抽出するモジュールである。検索モジュール５４３は、ユーザが指定した指定手技を映像中に含む手技動画を検索するモジュールである。これらのモジュール５４１〜５４３は、ＣＰＵ５０１によりＲＡＭ５０３のアプリケーション実行領域５３８に読み出され、実行される。制御プログラム５４４は、情報処理装置２００の全体を制御するためのプログラムである。なお、図５に示したＲＡＭ５０３やストレージ５０４には、情報処理装置２００が有する汎用の機能や他の実現可能な機能に関するプログラムやデータは図示されていない。
【００５１】
図６は、本実施形態に係る情報処理装置２００の処理手順を示すフローチャートである。このフローチャートは、図５のＣＰＵ５０１がＲＡＭ５０３を使用して実行し、図３の情報処理装置２００の機能構成部を実現する。
【００５２】
ステップＳ６０１において、情報処理装置２００は、複数の手技を含む手術動画を、例えば、ユーザ端末２１０から受信して、ストレージ５０４などに記録する。情報処理装置２００は、受信した手術動画をストレージ５０４に記録する際に、受信した手術動画の各種情報、例えば、執刀医名や執刀日、術式名、患者情報などのメタ情報を付加して記憶してもよい。
【００５３】
ステップＳ６０３において、情報処理装置２００は、ストレージ５０４などに記録された手術動画を読み出し、手術動画の映像中の複数の手技のそれぞれに対応して、手術動画を分割して、手技動画を生成する。情報処理装置２００は、例えば、手術動画の映像に登場する手術器具４１４や執刀者の手の動きなどに基づいて、手術動画を切り分けて、自動的に手技動画を生成する。
【００５４】
ステップＳ６０５において、情報処理装置２００は、手技動画に含まれる手技の処置時間を計測して、抽出する。情報処理装置２００は、例えば、手技動画の映像に手術器具４１４が登場してから、消えるまでの時間に基づいて、処置時間を計測してもよいし、執刀者の手の動きなどの動作解析に基づいて、処置時間を計測してもよい。また、手技動画の再生時間を手技の処置時間としてもよい。
【００５５】
ステップＳ６０７において、情報処理装置２００は、ステップＳ６０５で抽出した処置時間と手技動画とを関連付けて記録する。情報処理装置２００は、処置時間の他に、原手術動画に付加されていたメタ情報を手技動画に関連付けて記憶してもよい。
【００５６】
ステップＳ６０９において、情報処理装置２００は、手術動画の分割作業が終了したか否かを判断する。分割作業が終了していなければ（ステップＳ６０９のＮＯ）、情報処理装置２００は、ステップＳ６０３に戻って、分割作業を繰り返す。分割作業が終了していれば（ステップＳ６０９のＹＥＳ）、情報処理装置２００は、次のステップへ進む。
【００５７】
ステップＳ６１１において、情報処理装置２００は、ユーザが指定した指定手技を映像中に含む手技動画を検索する。情報処理装置２００が、検索する手技動画は、例えば、ユーザの手技の処置時間よりも短い処置時間の手技を含む手技動画でもよいし、ユーザの手技の処置時間よりも所定の割合少ない処置時間の手技を含む手技動画でもよい。また、ユーザの手技の処置時間に対して所定の範囲内の処置時間の手技動画、すなわち、ユーザの手技の処置時間に近い処置時間の技動画であってもよく、ユーザの技術レベルなどに応じて適宜変更できる。
【００５８】
ステップＳ６１３において、情報処理装置２００は、ステップＳ６０５で抽出した処置時間を所定の処置時間と比較可能にグラフ化して表示し、さらに、ステップＳ６１１で検索した手技動画とユーザの手技動画とを比較可能に表示する。そして、ステップＳ６１５において、情報処理装置２００は、ネットワーク２４０を介して、検索された手技動画をユーザ端末２１０に送信したり、ステップＳ６１３で生成したグラフや比較可能動画をユーザ端末２１０に送信したりする。
【００５９】
本実施形態によれば、複数の手技を含む手術動画を複数の手技のそれぞれに対応して、自動的に分割することができ、さらに、ユーザに対して、ユーザが見るべき手技を含む手技動画を見せることができる。また、従来は、症例数や経験件数などに頼った技術評価しかできなかったが、手技の処置時間に基づいたより正確な技術評価をすることができ、患者も数に頼らない評価により医師を選択できる。さらに、医師も、自身のスキルやレベルを正確に把握することができるので、スキルアップの材料とすることができ、教育効果も期待できる。
【００６０】
［他の実施形態］
以上、実施形態を参照して本願発明を説明したが、本願発明は上記実施形態に限定されるものではない。本願発明の構成や詳細には、本願発明のスコープ内で当業者が理解し得る様々な変更をすることができる。また、それぞれの実施形態に含まれる別々の特徴を如何様に組み合わせたシステムまたは装置も、本発明の範疇に含まれる。
【００６１】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。特に、少なくとも、上述した実施形態に含まれる処理ステップをコンピュータに実行させるプログラムを格納した非一時的コンピュータ可読媒体（non-transitory computer readable medium）は本発明の範疇に含まれる。
【要約】
【課題】ユーザが見るべき動画を見せること。
【解決手段】情報処理装置であって、複数の手技を含む手術動画を記録する記録手段と、前記手術動画の映像中の前記複数の手技のそれぞれに対応して、前記手術動画を分割する分割手段と、前記分割手段により分割された手技動画から、前記手技動画中の手技の処置時間を抽出する抽出手段と、前記手技動画と前記処置時間とを関連付けて記録する手技動画記録手段と、ユーザが指定した指定手技についての、前記ユーザの処置時間に基づいて、前記手技動画記録手段から、前記指定手技に対応する手技動画を検索する検索手段と、を備えることを特徴とする。
【選択図】  図１【図１】
0005989877.tif 000002
【図２Ａ】
0005989877.tif 000003
【図２Ｂ】
0005989877.tif 000004
【図２Ｃ】
0005989877.tif 000005
【図２Ｄ】
0005989877.tif 000006
【図３】
0005989877.tif 000007
【図４Ａ】
0005989877.tif 000008
【図４Ｂ】
0005989877.tif 000009
【図４Ｃ】
0005989877.tif 000010
【図５】
0005989877.tif 000011
【図６】
0005989877.tif 000012